(57)【要約】【課題】  二種類の読み取り速度を備える画像読取装置において、読み取り速度に関係なく安定した画質を提供することにある。【解決手段】  主走査方向に並べられた複数の光源と、光源から出射され原稿台上の原稿から反射された光から画像を読み取り画像信号を出力する読取素子と、複数の光源を駆動する光源駆動部と、光源制御部と備える。光源制御部は、原稿の画像の読み取り時に、第１モードまたは第１モードよりも副走査方向への光源の移動速度が低速な第２モードを含む動作モードに応じて光源駆動部を制御する光源制御部であって、動作モードが第２モードである場合、第１モード時に比べて点灯される光源の数を低減するように光源駆動部を制御する。【選択図】  図２
2010276644.tif 000002
【特許請求の範囲】
【請求項１】
原稿台上の原稿の画像を読み取る原稿読取装置の原稿読取ユニットであって、
主走査方向に並べられた複数の光源と、
前記光源から出射され前記原稿台上の原稿から反射された光から画像を読み取り画像信号を出力する読取素子と、
前記複数の光源を駆動する光源駆動部と、
前記原稿の画像の読み取り時に、第１モードまたは前記第１モードよりも副走査方向への前記光源の移動速度が低速な第２モードを含む動作モードに応じて前記光源駆動部を制御する光源制御部であって、前記動作モードが前記第２モードである場合、前記第１モード時に比べて点灯される前記光源の数を低減するように前記光源駆動部を制御する光源制御部と、
を備える原稿読取ユニット。
【請求項２】
前記動作モードが前記第２モードであるとき、
前記光源制御部は、前記複数の光源を、少なくとも二つの光源を含むようにグループに分け、前記グループそれぞれから照射される光量が一定に低減されるように、前記グループ毎に、少なくとも一個の前記光源を点灯させ少なくとも一個の前記光源を消灯させ、かつ主走査１ライン分の画像の読み取り期間において前記光源の点灯及び消灯を切り替えて前記光源それぞれの点灯時間が等しくなるように前記光源駆動部を制御する、請求項１に記載の原稿読取ユニット。
【請求項３】
前記原稿読取ユニットは、前記動作モードが前記第１モードまたは第２モードのいずれであるかを判断するする動作モード判断部をさらに備え、
前記動作モード判断部が判断した動作モードに応じて、前記光源制御部は前記光源駆動部を制御する、請求項１または２に記載の原稿読取ユニット。
【請求項４】
請求項１〜３のいずれか１項に記載の原稿読取ユニットと、
前記原稿を載置するための原稿台と、
を備え、
前記第１モードまたは前記第２モードのいずれかの動作モードで前記原稿台上の原稿の画像を読み取る原稿読取装置。
【請求項５】
請求項１〜３のいずれか１項に記載の原稿読取ユニットと、
前記原稿読取ユニットを有し、前記第１モードまたは前記第２モードのいずれかの動作モードで原稿台上の原稿の画像を読み取る画像読み取り原稿読取装置と、
前記原稿読取装置が読み取った画像を記録媒体上に形成する画像形成部と、
を備える画像形成装置。
【発明の詳細な説明】
【技術分野】
【０００１】
本発明は、原稿読取ユニット、原稿読取ユニットを備える原稿読取装置及び画像形成装置に関する。
【背景技術】
【０００２】
従来、複写機等の画像形成装置に利用される原稿読取装置において、イメージセンサを有し高速および低速という二種類の読み取り速度を備える装置が知られている。
【先行技術文献】
【特許文献】
【０００３】
【特許文献１】特開２００１−２９８５９０号公報
【発明の概要】
【発明が解決しようとする課題】
【０００４】
しかしこのような画像読取装置において、原稿読み取りの際に光源から原稿に照射される光量は一定である。従って、読み取り速度が高速である場合は、原稿への光の照射時間が短くなるため照射光量は少なくなる一方で、読み取り速度が低速である場合は原稿へ照射時間が長くなるため照射光量は多くなり、読み取り速度によって原稿への照射光量の差異が生じる。原稿からの反射光に基づき画像データが出力されるイメージセンサにおいては、このような照射光量の差異は出力される画像データの質に影響する。そのため、読み取り速度の差異により、出力される画像の質が不安定になるという問題が発生する。
【０００５】
そこで、本発明は、二種類の読み取り速度を備える画像読取装置において、読み取り速度に関係なく安定した画質を提供することにある。
【課題を解決するための手段】
【０００６】
第１発明に係る原稿読取ユニットは、原稿台上の原稿の画像を読み取る原稿読取装置の原稿読取ユニットであって、主走査方向に並べられた複数の光源と、読取素子と、光源駆動部と、光源制御部と、を備える。読取素子は、光源から出射され原稿台上の原稿から反射された光から画像を読み取り画像信号を出力する。光源駆動部は、複数の光源を駆動する。光源制御部は、原稿の画像の読み取り時に、第１モードまたは第１モードよりも副走査方向への光源の移動速度が低速な第２モードを含む動作モードに応じて光源駆動部を制御する。ここで、動作モードが第２モードである場合、第１モード時に比べて点灯される光源の数を低減するように光源駆動部を制御する。
【０００７】
ここでは、光源制御部を備え、動作モードが第１モードよりも副走査方向への光源の移動速度が低速な第２モードである場合は、第１モード時に比べて点灯される光源の数を低減するように光源駆動部を制御する。第２モードの場合は、第１モード時に比べて主走査１ライン分の画像の読み取り速度が遅くなるため光源からの照射時間が長くなる。しかし、第１モード時に比べて第２モードにおける点灯される光源を低減させることにより、光源から照射される光量を減少することができる。従って、光源駆動部の動作モードの差異から原稿への照射光量の差異が生じることを防ぎ、動作モードに関係なく安定した画質を提供することができる。
【０００８】
第２発明に記載の原稿読取ユニットは、第１発明に記載の原稿読取ユニットにおいて、動作モードが第２モードであるとき、光源制御部は、複数の光源を、少なくとも二つの光源を含むようにグループに分け、グループそれぞれから照射される光量が一定に低減されるように、グループ毎に、少なくとも一個の光源を点灯させ少なくとも一個の光源を消灯させ、かつ主走査１ライン分の画像の読み取り期間において光源の点灯及び消灯を切り替えて、光源それぞれの点灯時間が等しくなるように光源駆動部を制御する。
【０００９】
ここでは、動作モードが第２モードであるとき、少なくとも二つの光源を含む各グループから照射される光量が一定に低減されるよう、グループ毎に、少なくとも一個の光源を点灯させ少なくとも一個の光源を消灯させるとともに、主走査１ライン分の画像の読み取り期間において光源の点灯及び消灯を切り替えて各光源の点灯時間が等しくなるように光源駆動部を制御する。その結果、走査１ライン分の画像の読み取り期間において、グループ毎に常に一定の個数の光源を点灯させることができる。従って、グループ内の複数の光源が一斉に点灯または消灯する場合に比べて、急激な電流変動の発生を防ぎ、電気的に安定な制御が可能となる。しかも、原稿に対して一定の光量を一様に照射することができる。従って、不安定な電流変動から生じ得る画質劣化の発生を防ぎ、動作モードに関係なく安定した画質を提供することができる。
【００１０】
第３発明に記載の原稿読取ユニットは、第１発明または第２発明のいずれかに記載の原稿読取ユニットにおいて、動作モードが第１モードまたは第２モードのいずれであるかを判断する動作モード判断部をさらに備え、動作モード判断部が判断した動作モードに応じて、光源制御部は光源駆動部を制御する。
【００１１】
ここでは、動作モード判断部を備え、動作モードが第１モードまたは第２モードのいずれであるかを判断する。このため、動作モードに変更があっても、その動作モードを認識し、認識したモードに応じて原稿に対して光量を一様に照射することができる。従って、動作モードに関係なく安定した画質を提供することができる。
【００１２】
第４発明に記載の原稿読取装置は、第１発明から第３発明のいずれかに記載の原稿読取ユニットと、原稿を載置するための原稿台と、を備え、第１モードまたは第２モードのいずれかの動作モードで原稿台上の原稿の画像を読み取る。
【００１３】
第５発明に記載の原稿読取装置は、第１発明から第３発明のいずれかに記載の原稿読取ユニットと、原稿読取ユニットを有し、第１モードまたは第２モードのいずれかの動作モードで原稿台上の原稿の画像を読み取る画像読み取り原稿読取装置と、原稿読取装置が読み取った画像を記録媒体上に形成する画像形成部と、を備える。
【発明の効果】
【００１４】
二種類の動作モードに応じて画像を読み取る原稿読取ユニットにおいて、動作モードに関係なく安定した画質を提供することができる。
【図面の簡単な説明】
【００１５】
【図１】複写機の外観を示す斜視図である。
【図２】複写機の要部構成を示すブロック図である。
【図３】原稿読取装置の内部構成を模式的に示す図である。
【図４】光源部の平面図である。
【図５】原稿読み取り時の光源部の状態を示す拡大図である。
【図６】光源部の点灯／消灯の様子を示す図である。
【図７】光源部の点灯／消灯のタイミングを示す図である。
【発明を実施するための形態】
【００１６】
１．第１実施形態
本発明の実施の一形態である原稿読取ユニットを備えた画像形成装置としてのデジタル複写機を示す。以下、図面を参照して説明する。
【００１７】
（１−１）複写機全体の概略構成
複写機全体の構成を図１及び図２を用いて説明する。図１は、複写機の外観を示す斜視図である。図２は、複写機の要部構成を示すブロック図である。
【００１８】
複写機１は、原稿を搬送する原稿搬送装置２と、原稿の一方の面から画像を読み取る原稿読取装置４、原稿読取装置４が読み取った画像等を用紙上に印刷する画像形成部５、各部の動作を制御する制御部６及び通信部７を有する本体３と、を備える。
【００１９】
原稿搬送装置２は、原稿を原稿読取装置４に対して移動させるための装置であり、本体３の上方に配置される。原稿搬送装置２は、ハウジング２０、原稿を載置するための原稿載置トレイ２１、及び読み取りが終わった原稿を受け取る原稿排出トレイ２３を備えると共に、ハウジング２０の内部に設けられ、原稿載置トレイ２１上の原稿を原稿排出トレイ２３まで搬送する原稿搬送部２２等を有する。ハウジング２０は、後述するプラテンガラス４１上に原稿を押し付ける原稿押さえとしても機能する。
【００２０】
本体３は、上述の部材に加えて、画像形成部５で用いる用紙を載置するための手差しトレイ３１、用紙を収容する用紙カセット３２、画像形成後の用紙が排出される用紙排出トレイ３３、ユーザからの指示を受け付けたりユーザに種々の情報を提示したりする操作パネル３４等を有する。
【００２１】
原稿読取装置４は、原稿の画像を読み取り、その画像のデジタルデータを生成するものである。原稿読取装置４の詳細については後述する。
【００２２】
画像形成部５としては、電子写真方式又はインクジェット方式等の印刷機構を適宜採用することができる。
【００２３】
制御部６は、操作パネル３４等を介してユーザから受け付けた指示や各種センサの検知結果に応じて、複写機１の各部との間でデータ信号及び制御信号の送受信を行い、画像形成動作等を統括的に制御するものである。具体的には、制御部６は、ＣＰＵ６１（Central Processing Unit）、ＲＯＭ６２（Read Only Memory）、及びＲＡＭ６３（Random Access Memory）によって構成可能である。ＣＰＵ６１は、種々の演算を行い、プログラムを実行することがきる。ＲＯＭ６２には、ＣＰＵ６１によって行われる制御に関するプログラムや、複写機１内の各部の動作に関するプログラム等が格納されている。また、ＲＡＭ６３は、ＣＰＵの作業領域として機能する他、ユーザの入力内容等を保持する領域等を有している。
【００２４】
通信部７は、通信回線を介して外部の装置と通信を行う。通信部７は、例えば外部のパソコンやＦＡＸ機から送信された画像データを受信する。
【００２５】
（１−２）原稿読取装置の概略構成
原稿読取装置４について、図２と、さらに図３及び図４を用いて説明する。図３は、原稿読取装置の内部構成を模式的に示す図である。図４は、光源部の平面図である。
【００２６】
図３に示すように原稿読取装置４には、原稿台としてのプラテンガラス４１及び原稿読取部４２が設けられている。原稿読取部４２は、原稿読取装置４内に着脱可能に設けられる。原稿読取部４２は、第１キャリッジ４３及び光源部４４を有する照明ユニット４５、光学ユニット４６、レンズ４７、読取素子４８を有する。
【００２７】
照明ユニット４５は、第１キャリッジ４３及び光源部４４の他にミラー等を有する。第１キャリッジ４３は、副走査方向に移動可能に設けられる。光源部４４は第１キャリッジ４３内に設けられる。
【００２８】
光源部４４は、図４に示すように、基材４４１及び光源としての複数のＬＥＤ４４２を備える。
【００２９】
基材４４１は、主走査方向に延びる板状の部材である。基材４４１の主走査方向における長さは、原稿読取装置４が読み取ることのできる原稿の最大サイズの主走査方向における幅よりも長い。例えば、原稿の最大サイズはＡ３であるとすると、主走査方向における原稿の最大幅は、Ａ３の短手方向の幅（Ａ４の長手方向の幅）である。よって、基材４４１の主走査方向の長さは、Ａ４の長手方向の幅（２９７ｍｍ）よりも少し長く、例えば、３５０ｍｍ程度に設定される。また、基材２７の短手方向の幅は、特に限定されないが、例えば１５ｍｍ程度に設定される。
【００３０】
基材４４１は、その長手方向の両端付近に取付孔４４３を有しており、この取付孔４４３を介して、ビスにより基板に固定される。ビス及び基板のいずれについても図示を省略する。
【００３１】
ＬＥＤ４４２は、光源の一例であり、例えば１ｍｍ×２ｍｍ程度の矩形状である。光源部４４においては、基材４４１上に、複数のＬＥＤ４４２が、主走査方向に並べられている。後述するように、複数のＬＥＤ４４２は、光源制御部４２１の制御のもと、少なくとも２個以上のＬＥＤ４４２が含まれるようにグループ化（Ｇ１〜Ｇｎ）され、各グループからの照射される光量が一定になるように光源駆動部４２２によって点灯及び消灯される。詳細は後述する。
【００３２】
図３に示すように、光学ユニッ４６は、第２キャリッジ４６ａ及び第２キャリッジ４６ａ内に設けられたミラーを有する。キャリッジ４６ａも、副走査方向に移動可能に設けられる。
【００３３】
レンズ４７は、光学ユニット４６から読取素子４８に至る光路上に配置される。
【００３４】
読取素子４８は、原稿からの反射光から画像を読み取り画像信号を出力する撮像素子であって、光像をアナログの電気信号に変換する。読取素子４８としては、ＣＣＤイメージセンサ、ＣＭＯＳイメージセンサ等の公知の素子が好適に用いられる。
【００３５】
原稿読取部４２は、上述した構成の他に、図２に示すように、光源制御部４２１、光源駆動部４２２、キャリッジ移動部４２３及びサイズ検知部４２４を備える。
【００３６】
光源駆動部４２２は、光源制御部４２１の制御に基づき、複数のＬＥＤ４４２の点灯及び消灯を駆動する。
【００３７】
キャリッジ移動部４２３は、第１キャリッジ４３及び第２キャリッジ４６ａを、光源制御部４２１の制御に基づき副走査方向へ移動させる。具体的には、キャリッジ移動部４２３は、モータ及びギア等の部材を備え、副走査方向に延びる図示しないレールに沿って、第１キャリッジ４３及び第２キャリッジ４６ａを移動させる。
【００３８】
サイズ検知部４２４は、プラテンガラス４１上の主走査方向の原稿のサイズを読取素子４８から出力された画像データに基づき検知する。そしてその検知結果及び後述する原稿センサ部からの出力信号により原稿のサイズを判定し、判定したサイズに応じた信号を光源制御部４２１に出力する。
【００３９】
光源制御部４２１は、原稿読取部４２の各部の動作を制御するものである。そして光源駆動部４２２及びキャリッジ移動部４２３については、２種類の動作モードに応じて制御を行う。２種類の動作モードとは、ＬＥＤ４４２の副走査方向への移動速度、言い換えるとＬＥＤ４４２が内部に配置された第１キャリッジ４３の副走査方向への移動速度が異なる二種類の動作モードをいう。ここでは二つの動作モードを、第１モード及び第１モードに比べてＬＥＤ４４２の副走査方向への移動速度が低速な第２モードとして説明する。
【００４０】
光源制御部４２１は、図４に示すように、複数のＬＥＤ４４２をグループ（Ｇ１〜Ｇｎ）に分け、各グループには少なくとも２個以上ずつのＬＥＤ４４２が等しく含まれるようにする。そして、上述の動作モードに応じて、各グループから照射される光量が一定になるようにＬＥＤ４４２の点灯及び消灯を制御する。
【００４１】
また、光源制御部４２１は、動作モード判断部４２１ａを有する。動作モード判断部４２１ａは、上記の動作モードが第１または第２モードのうちいずれであるかを判断するものである。動作モード判断部４２１ａは、原稿読取部４２が装着される複写機１が基本仕様として有する印刷速度に基づき、動作モードを認識し判断する。例えば、原稿読取部４２が複写機１に装着された際に、動作モード判断部４２１ａはその複写機１の印刷速度が高速タイプであるか低速タイプであるかを認識することができる。そして、高速タイプであると認識した場合は、動作モードを第１モードと判断し、低速タイプであると判断した場合は、動作モードを第２モードであると判断することができる。
【００４２】
また、例えばユーザの設定等に基づき印刷速度が適宜可変な複写機１に原稿読取部４２が装着された場合は、スタートボタンの押下等の原稿読み取り開始の指示のタイミングで、動作モード判断部４２１ａは制御部６等から現在の印刷速度の設定状態を読み取る。そして印刷速度の現在設定が高速であると認識した場合には、動作モードを第１モードと判断し、低速であると認識した場合には、動作モードを第２モードと判断することができる。
【００４３】
光源制御部４２１は、動作モード判断部４２１ａによる動作モードの判断に応じて光源駆動部４２２及びキャリッジ移動部４２３を制御する。動作モード判断部４２１ａによって動作モードが第１モードであると判断されると、光源制御部４２１は、第１キャリッジ４３及び第２キャリッジ４６ａを副走査方向に第２モードより高速で移動させるようにキャリッジ移動部４２３を制御する。またそれとともに、グループ（Ｇ１〜Ｇｎ）のすべてのＬＥＤ４４２、つまり光源部４４のすべてのＬＥＤ４４２を点灯するように光源駆動部４２２を制御する。
【００４４】
一方、動作モード判断部４２１ａによって動作モードが第２モードであると判断されると、第１キャリッジ４３及び第２キャリッジ４６ａを副走査方向に第１モードより低速で移動させるようにキャリッジ移動部４２３を制御する。またそれとともに、光源制御部４２１は、第１モード時に比べて点灯するＬＥＤ４４２の個数を、グループ（Ｇ１〜Ｇｎ）毎に等しく低減するように光源駆動部４２２を制御する。より具体的には、光源制御部４２１は、各グループ（Ｇ１〜Ｇｎ）の少なくとも一個のＬＥＤ４４２は点灯させ少なくとも一個のＬＥＤ４４２は消灯させ、かつ主走査方向１ライン分の画像の読み取り期間において、ＬＥＤ４４２の点灯及び消灯を切り替えてＬＥＤ４４２それぞれの点灯時間が等しくなるように、光源駆動部４２２を制御する。詳述は、後に具体例を挙げて説明する。
【００４５】
図２に示すように、原稿読取装置４は、上述した構成に加えて、さらに画像処理部４９１、原稿センサ部４９２及び読取制御部４９３を備える。
【００４６】
画像処理部４９１は、Ａ／Ｄ変換器、シェーディング補正回路等を備える。
【００４７】
原稿センサ部４９２は、光源と受光部とを有する光センサユニットである。原稿センサ４９２は、プラテンガラス４１の下であって、副走査方向の原稿サイズを検出できる位置に配置される。一般的に原稿は、原稿の角の１つが、プラテンガラス４１の図５における左上角に合うように載置される。そして、原稿の最大サイズはＡ３であるとすると、Ａ３及びＡ４サイズの原稿は、主走査方向の長さが同一である。そこで原稿センサ４４は、主走査方向のサイズがＡ４サイズである場合に、原稿がＡ３またはＡ４サイズのいずれであるかを判断するために、ユーザから見て、プラテンガラス４１上のＡ４サイズの原稿の右端とＡ３サイズの原稿右端との間に設けられる。そして、サイズ検知部４２４による原稿サイズの検知と同じタイミングでプラテンガラス４１上の原稿の副走査方向のサイズを検知し、検知したサイズに応じた信号を光源制御部４２１に出力する。
【００４８】
読取制御部４９３は、画像処理部４９１及び原稿センサ部４９２等の動作を制御する。
【００４９】
（１−３）原稿読取部の動作
次に、原稿読取時の原稿読取部４２の動作について図５、図６及び図７を用いて説明する。図５は、原稿読み取り時の光源部の状態を示す拡大図である。図６は、光源部の点灯／消灯の様子を示す拡大図である。図７は、光源部の点灯／消灯のタイミングを示す図である。ここで、図７中（ａ）は、動作モードが第１モードである場合の光源部の点灯／消灯のタイミングを示す図であり、（ｂ）は、動作モードが第２モードである場合の光源部の点灯／消灯のタイミングを示す図である。
【００５０】
複写機１における原稿の読み取りには、原稿をプラテンガラス４１上に固定して光源部４４を移動させる固定読み取りと、光源部４４を固定させて原稿を原稿搬送装置４によってプラテンガラス４１上に移動させる流し読み取りとがあるが、以下、固定読み取りの場合について説明する。
【００５１】
また、説明を容易にするために、以下では第１モードを高速モード、第２モードを高速モードの１／２倍の速度である低速モードであるとし、読み取り対象の原稿のサイズはＡ４サイズとする。また、光源部４４は１２個のＬＥＤ４４２を備え、それらＬＥＤ４４２が２個毎に６つのグループ（Ｇ１〜Ｇ６）に分けられるとする。そして各グループに属する２個のＬＥＤ４４２のうち、図５において上側であって図６では左側にあるＬＥＤにＬ−Ａ、他のＬＥＤにＬ−Ｂという符号を付して説明する。
【００５２】
なお、図７に示される水平同期信号（ＨＳＹＮＣ）とは、主走査方向における１ライン毎の区切りを示すための信号である。従って、高速または低速モードのいずれの動作モードあっても、水平同期信号がＬＯＷレベルの時には、すべてのＬＥＤ４２２は消灯される。
【００５３】
［原稿サイズ検知］
原稿読取装置４２の待機中は、光源部４４を備える第１キャリッジ４３は、図５に示す待機位置Ｐ１に位置する。
【００５４】
プラテンガラス４１上に原稿が載置され、図示しない開閉センサによって複写機１のハウジング２０がプラテンガラス４１に対して閉じ始めたことが検知されると、光源制御部４２１の制御のもと、光源駆動部４２２は１２個のすべてのＬＥＤ４４２を点灯させる。またキャリッジ移動部４２３は、光源制御部４２１の制御のもと、第１キャリッジ４３を待機位置Ｐより副走査方向において右側に移動させる。このとき、第２キャリッジ４６ａは、キャリッジ移動部４２３によって、第１キャリッジ４３からの光（原稿からの反射光）を、第２キャリッジ４６ａ中のミラーがレンズ４７へ導くことができる位置に配置される。そして、サイズ検知部４９２は、原稿から受光した反射光と、例えば予め図示しない記憶部などに記憶している閾値とを比較して主走査方向の原稿のサイズを検知する。サイズ検知部４２４は、原稿のサイズを検知すると、その検知結果と原稿センサ部４９２からの信号に基づき原稿のサイズ（ここではＡ４）を判定し、判定に応じた信号を光源制御部４２１に出力する。原稿の検知が終了すると、第１キャリッジ４３は、待機位置Ｐ１（図５）に戻る。
【００５５】
［原稿読み取り動作］
つづいて、操作パネル３４のスタートキーの押下等により原稿読み取りの指示を受け付けると、光源制御部４２１の動作モード判断部４２１ａは、複写機１の印刷速度に基づき動作モードの判断を実行する。例えば、動作モード判断部４２１ａは制御部６等に記憶された現在の印刷速度の設定状態を読み取り、設定状態に基づいて動作モードを決定する。
【００５６】
そして、判断された動作モードに応じた光源制御部４２１の制御に基づき、光源駆動部４２２はＬＥＤ４４２の駆動を開始する。また光源制御部４２１の制御のもと、キャリッジ移動部４２３は、副走査方向にサイズ検知部４２４によって判定された原稿サイズであるＡ４の右端まで第１キャリッジ４３及び第２キャリッジ４６ａを移動させる。詳細には以下の通りである。
【００５７】
動作モード判断部４０３ａによって動作モードが高速モードであると判断された場合は、光源制御部４２１の制御のもと、キャリッジ移動部４２３は第１キャリッジ４３及び第２キャリッジ４６ａを副走査方向にＡ４サイズの右端まで高速で移動させる。それとともに、光源駆動部４２２は、光源制御部４２１の制御のもと、図７（ａ）で示すとおり、水平同期信号がＨＩＧＨレベルの期間中は、各グループＧ１からＧ６のすべてのＬ−Ａ及びＬ−Ｂを点灯させる。つまり、１２個すべてのＬＥＤ４４２を点灯させる。
【００５８】
一方、動作モード判断部４２１ａによって動作モードが低速モードであると判断されると、光源制御部４２１の制御のもと、キャリッジ移動部４２３は、第１キャリッジ４３及び第２キャリッジ４６ａを副走査方向にＡ４サイズの右端まで高速モード時の１／２倍の速度で移動させる。それとともに、光源制御部４２１は、グループ（Ｇ１〜Ｇ６）毎に、水平同期信号の１周期のＨＩＧＨレベルの期間、すなわち主走査方向１ライン分の画像の読み取り期間において、Ｌ−Ａ及びＬ−Ｂを交互に同じ時間ずつ点灯させる。つまり、図６及び図７（ｂ）で示すとおり、水平同期信号の１周期のＨＩＧＨレベルの期間の先の１／２の期間において、各グループ（Ｇ１〜Ｇ６）のＬ−Ａを点灯させる一方でＬ−Ｂを消灯させる。そして後半でＬ−Ｂを点灯させＬ−Ａを消灯させる。
【００５９】
なお、ここでは、各グループ（Ｇ１〜Ｇ６）のＬ−Ａを先に点灯させ次にＬ−Ｂを点灯させるというように、二個のＬＥＤが順に一回ずつ点灯する例を挙げた。しかし、水平同期信号の１周期のＨＩＧＨレベルの期間において、常にいずれか１個のＬＥＤが点灯され２個のＬＥＤの点灯時間が同じであれば、この例には限定されない。従って、各グループ（Ｇ１〜Ｇ６）のＬ−Ｂを先に点灯させて次にＬ−Ａを点灯させてもよい。またグループ１では先にＬ−Ａを点灯させるが、グループ２では先にＬ−Ｂを点灯させてもよい。さらに、主走査方向１ライン分の画像の読み取り期間にＬ−ＡとＬ−Ｂとが交互に二回ずつ点灯してもよい。
【００６０】
このように、Ｌ−Ａ及びＬ−Ｂを交互に同じ時間ずつ点灯させることで、高速モード時に比べてＬＥＤ４４２を備える第１キャリッジ４３の副走査方向への移動速度が１／２倍になったとしても、ＬＥＤ４４２からの光量も１／２倍に低減することができる。その結果、動作モードに関係なく、ＬＥＤ４４２から原稿に照射される光量を一定にすることができる。つまり、低速モードの場合は、高速モード時に比べて主走査１ライン分の画像の読み取り速度が１／２倍遅くなるため、その分ＬＥＤ４４２から原稿への光の照射時間が長くなる。しかし本実施形態では、ＬＥＤ４４２からの光量も高速モード時の１／２倍となるため、低速モード時に原稿に照射される光量を高速モード時の光量と等しくすることができる。従って、ＬＥＤ４４２の副走査方向への移動速度、すなわち動作モードの差異から原稿への照射光量に差異が生じることを防ぎ、安定した画質を提供することができる。
【００６１】
また、水平同期信号の１周期のＨＩＧＨレベルの期間、すなわち主走査１ライン分の画像の読み取り期間において、グループ毎にＬ−ＡまたはＬ−Ｂのいずれかが常に点灯される。従って、グループ内の２個のＬＥＤ４４２が一斉に点灯または消灯する場合、例えば水平同期信号の１周期のＨＩＧＨレベルの期間の先の１／２の期間にＬ−Ａ及びＬ−Ｂを共に点灯させ、後の１／２倍の期間でＬ−Ａ及びＬ−Ｂを共に消灯させる場合と比べて、照射光量は同じであるが、電流の急激な変動を防ぎ電気的に安定な制御が可能となる。
【００６２】
また電流の急激な変動は光源駆動部４２２にも影響し、光源駆動部４２２が不安定であれば光源部４４からの光量も不安定となるため画像の質も不安定になり得る。しかし、本実施形態では、主走査１ライン分の画像の読み取り期間において２個のうち１個のＬＥＤ４４２の駆動が常に行われているので、急激な電流変動が発生せず電源が安定するため、安定した画質を維持することができる。さらに、低速モード時におけるＬＥＤ４４２に対する最大電流値を、グループ内の２個の光源を一斉に点灯または消灯させる場合に比べて少なくできるので、光源駆動部４２２の回路構成の幅が広げることができ、また長寿命化が期待できる。
【００６３】
なお、ここでは低速モードは高速モードの１／２倍の速度である例をあげたが、当然に高速モードと低速モードの速度は他の比率であってよい。
【００６４】
また、グループ（Ｇ１〜Ｇｎ）には、それぞれ２個のＬＥＤ４４２が含まれる例を挙げて説明したが、２個以上であり、各グループに含まれるＬＥＤ４４２の個数が同じであればこれに限定されない。また、高速モードと低速モードの速度の比率に応じて、どの動作モードでも各グループから一定の光量が照射することができるようにＬＥＤ４４２をグループ化して点灯させることが好ましい。例えば、低速モードが高速モードの１／Ｎ倍の速度である場合は、一個のグループにＮ個のＬＥＤ４４２を含ませ、低速モードの場合はＮ個のＬＥＤ４４２を順に一つずつ同じ時間点灯させるとよい。
【００６５】
２．その他の実施形態
（ａ）第１実施形態では、画像読取機能と画像形成機能とを併せ持つ画像形成装置について説明した。しかし、本発明はこれに限定されず、画像形成機能を持たない画像読取装置としても実施可能である。
【００６６】
（ｂ）第１実施形態では、原稿の画像読み取りの指示があった場合に動作モード判断部４２１ａが動作モードを判断する例を挙げた。しかし、動作モードを判断するタイミングはこれに限定されない。例えば、原稿読取部４２が複写機１に装着されたときに、複写機１の印刷速度を認識し、動作モードを判断してもよい。
【００６７】
具体的には、１事業所内に高速印刷用の複写機１と低速印刷用の複写機１とがあり、一つの原稿読取部４２が、高速印刷用の複写機１と低速印刷用の複写機１の共用装置であるとする。この場合においては、動作モード判断部４２１ａは、低速印刷用の複写機１に装着された場合は、低速印刷用の複写機１に装着された際に動作モードを第２モードと判断し、光源制御部４２１は第２モードに基づき光源駆動部４２２及びキャリッジ移動部４２３の制御を行ってもよい。
【００６８】
（ｃ）第１実施形態では、原稿サイズ検知の際には、光源駆動部４２２は、全てのグループのＬＥＤ４４２を点灯するとしたが、原稿全体を照明できる程度であればすべてのＬＥＤ４４２を点灯させなくてもよい。
【００６９】
以上に述べた実施形態に、従来公知の技術を組み合わせて得られる形態も、本発明の技術的範囲に含まれる。
【産業上の利用可能性】
【００７０】
本発明は、スキャナ、複写機、複合機、ファクシミリ装置等に利用可能である。
【符号の説明】
【００７１】
１        複写機
４        原稿読取装置
４１      プラテンガラス
４２      原稿読取部
４４      光源部
４４２    ＬＥＤ
４８      読取素子
４２１    光源制御部
４２１ａ  動作モード判断部
４２２    光源駆動部
４２３    キャリッジ移動部
４２４    サイズ検知部
５        画像形成部
【図１】
2010276644.tif 000003
【図２】
2010276644.tif 000004
【図３】
2010276644.tif 000005
【図４】
2010276644.tif 000006
【図５】
2010276644.tif 000007
【図６】
2010276644.tif 000008
【図７】
2010276644.tif 000009